(57)【要約】【課題】保守点検対象の昇降機での当該保守点検作業に関わる情報を容易に得る。【解決手段】エレベータの保守点検作業の開始前に、携帯電話４は、構内に貼付されるＲＦＩＤタグ３３に記憶される情報を読み取って得たエレベータの設置建物住所およびエレベータ号機名をエレベータ監視装置５へ送信する。エレベータ監視装置５は、携帯電話４からの情報と、保守管理対象のエレベータの設置建物の住所の情報、エレベータ号機名および点検作業中であるかを示す作業ステータスの情報とが対応付けられるテーブルとを照合することで、ＲＦＩＤタグ３３の貼付箇所に対応する設置建物の住所およびエレベータ号機名に対応付けられる作業パラメータの情報を検索し、この作業パラメータをもとに保守点検作業の開始または終了を示すメッセージをモニタ表示する。【選択図】      図２
2009155100.tif 000002
【特許請求の範囲】
【請求項１】
携帯通信端末装置および昇降機監視装置を有するシステムであって、
前記携帯通信端末装置は、
保守管理対象の昇降機の設置箇所に設けられたＲＦＩＤタグから当該昇降機の設置箇所を特定する情報を読み取る読み取り手段と、
前記読み取り手段により読み取った情報を送信する送信手段と
を備え、
前記昇降機監視装置は、
前記携帯通信端末装置の送信手段により送信された情報を受信する受信手段と、
前記受信手段により受信した情報の表示制御を行なう表示制御手段と
を備えた
ことを特徴とする昇降機監視システム。
【請求項２】
保守管理対象の昇降機の設置箇所に設けられたＲＦＩＤタグから当該昇降機の設置箇所を特定する情報を読み取って得た情報を受信する受信手段と、
前記受信手段により受信した情報の表示制御を行なう表示制御手段と
を備えたことを特徴とする昇降機監視装置。
【請求項３】
保守管理対象の少なくとも１台の昇降機の設置箇所を特定する情報と、この箇所に設置される昇降機の保守点検作業が実行中であるか否かを示す作業状況情報とを対応付けて記憶する記憶装置と、
前記受信手段により受信した、前記昇降機の設置箇所を特定する情報と前記記憶装置に記憶される情報とを照合することで、前記受信した情報の送信元の昇降機と対応する作業状況情報を検索する検索手段と、
前記検索手段により検索した作業状況情報を対となる作業状況を示す情報に書き換える書換え手段と
をさらに備え、
前記表示制御手段は、前記書換え手段により書き換えた作業状況情報をもとに前記送信元の昇降機の作業状況の案内情報の表示制御をさらに行なう
ことを特徴とする請求項２に記載の昇降機監視装置。
【請求項４】
前記受信手段は、固有の識別情報を記憶する識別情報記憶装置を備えた携帯通信端末装置からの情報をさらに受信可能であり、
前記受信手段により受信した識別情報と前記識別情報と対応する携帯通信端末装置の所持者の個人情報とを照合することで、前記受信した識別情報の送信元の携帯通信端末装置の所持者の個人情報を検索する個人情報検索手段をさらに備え、
前記表示制御手段は、前記個人情報検索手段により検索した個人情報の表示制御をさらに行なう
ことを特徴とする請求項３に記載の昇降機監視装置。
【請求項５】
保守管理対象の昇降機の設置箇所に貼付され、かつ当該昇降機の設置箇所を特定する情報が記憶されてなることを特徴とするＲＦＩＤタグ。
【発明の詳細な説明】
【技術分野】
【０００１】
本発明は、昇降機の保守点検に関わる情報の送受信を行なう昇降機監視システム、昇降機監視装置およびＲＦＩＤタグに関する。
【背景技術】
【０００２】
従来、エレベータなどの昇降機を保守点検する作業員は、一般には一日のうちに複数の現場を巡回して各現場での保守点検作業を行っている。保守点検作業はあらかじめスケジュール化されており、作業員が所定の巡回順路を所定の時間間隔で移動するように管理されているのが普通である。
【０００３】
このような管理を行なうために、作業員は現場での作業開始時に監視センタに電話をかけ、氏名、作業する現場の情報および当該現場での作業を開始する旨を伝達する。作業する現場の情報とは例えば昇降機の設置建物の住所や当該建物の名称などである。この建物の構内に複数の昇降機が設置されている場合には作業員は昇降機号機の情報もあわせて監視センタに伝達する。
【０００４】
すると、監視センタのオペレータは電話での伝達事項（作業員の氏名、保守点検作業を開始した箇所および、この箇所で保守点検作業を開始した事）を記録する。  
このような伝達手順および監視センタでの記録手順は保守点検作業の終了時にも行なわれ、また、他の巡回先での保守点検作業の開始および終了時にも行なわれる。
【０００５】
また、前述したような作業員の動静を監視センタ側で把握する技術として、例えば特許文献１に開示されるように、ＧＰＳレシーバを作業員が携帯し、このＧＰＳレシーバが得た現在位置情報を監視センタに送信するものがある。
【特許文献１】特開平９−１０７４１０号公報
【発明の開示】
【発明が解決しようとする課題】
【０００６】
しかし、保守点検作業に関する前述したような管理方法では現場の作業員が各現場での作業ごとに監視センタに電話連絡を行なわなければならない。昇降機では制御盤の動作停止時にこれを示す情報を含む信号、いわゆる停止通知信号を監視センタ側に送信する機能を有する。動作停止には作業員による保守点検作業のための停止および昇降機の機器異常による動作停止がある。
【０００７】
したがって監視センタで停止通知信号を受信し、かつ作業員から監視センタに対する電話連絡が無い場合には、オペレータは停止信号が保守点検作業のために送信されたのか昇降機の異常により送信されたかを判断するために停止信号の送信元の昇降機の点検作業のスケジュールを把握しなけれならない。
【０００８】
また、前述した特許文献１に開示されたような手法では作業員の現在位置の情報を監視センタ側で知ることはできるが、この位置での昇降機の保守点検作業の状況を監視センタ側で把握することはできない。
【０００９】
そこで、本発明の目的は、保守点検対象の昇降機での当該保守点検作業に関わる情報を容易に得ることが可能になる昇降機監視システム、昇降機監視装置およびＲＦＩＤタグを提供することにある。
【課題を解決するための手段】
【００１０】
すなわち、本発明に係わる昇降機監視システムは、携帯通信端末装置、および、昇降機監視装置を有するシステムであって、携帯通信端末装置は、保守管理対象の昇降機の設置箇所に設けられたＲＦＩＤタグから昇降機の設置箇所を特定する情報を読み取り、この読み取って得た情報を送信し、昇降機監視装置は、携帯通信端末装置により送信された情報を受信し、この受信した情報の表示制御を行なうことを特徴とする。
【発明の効果】
【００１１】
本発明によれば、保守点検対象の昇降機での当該保守点検作業に関わる情報を容易に得ることができる。
【発明を実施するための最良の形態】
【００１２】
以下図面により本発明の実施形態について説明する。  
図１は、本発明の実施形態における保守点検対象のエレベータの一例を示す図である。なお、この実施形態は本発明をエレベータに適用した場合について説明したものであるが、これに限らず例えばエスカレータにも本発明を適用することが可能である。  
図１に示すように、保守点検対象のエレベータが複数台設置される建物１には１号機エレベータ昇降路２ａ、２号機エレベータ昇降路２ｂおよび３号機エレベータ昇降路２ｃが設けられる。１号機エレベータ昇降路２ａでは１号機エレベータ乗りかご３ａが昇降する。２号機エレベータ昇降路２ｂでは２号機エレベータ乗りかご３ｂが昇降する。また、３号機エレベータ昇降路２ｃでは３号機エレベータ乗りかご３ｃが昇降する。
【００１３】
図２は、本発明の実施形態におけるエレベータ監視システムの構成例を示す図である。  
図３は、本発明の実施形態における保守点検対象のエレベータの乗りかごに貼付されるＲＦＩＤ（Radio Frequency Identification：無線認識）タグ３３に記憶される情報の具体例を示す図である。  
図２に示すように、１号機エレベータ乗りかご３ａ（図１参照）の内部のかごドア３１の近傍にはかご内操作盤３２が設けられる。かご内操作盤３２の例えば下部にはＲＦＩＤタグ３３が貼付される。ＲＦＩＤタグ３３は、無線タグ、ＲＦタグ、ＩＣタグなどとも呼ばれる。
【００１４】
図３に概略的に示すように、ＲＦＩＤは微小無線チップにて人や物を識別・管理する仕組みである。このＲＦＩＤは二次元コードに代わる技術として注目が集まり、人が意識しなくとも情報を読み取ることができるなど、作業に対する大幅な自動化・効率化が行なえる。
【００１５】
本実施形態では、ＲＦＩＤタグ３３はインレット型タイプとし、エレベータの顧客を識別するためのラベルに不揮発性メモリや無線アンテナが埋め込まれる。  
ＲＦＩＤタグ３３は、他にもカード型、ガラス封入型、コイン型、ディスク型、オンメタル型、キーホルダー型、ボルト型などのタイプがある。
【００１６】
図３に示すように、ＲＦＩＤタグ３３のメモリには、当該ＲＦＩＤタグ３３の貼付箇所に対応したエレベータが設置される建物の住所、エレベータ号機名、当該エレベータの所有者の識別番号である「お客さま番号」、および当該エレベータが設置される建物名の情報が記憶される。ここでは、エレベータ号機名は当該号機の保守管理業者名の情報を含む。もちろんＲＦＩＤタグ化されたこれらの情報が文字情報など視覚的に認識できる状態でＲＦＩＤタグ３３に隣接して印刷されていてもよい。
【００１７】
ＲＦＩＤタグ３３は乗りかご３ｂや乗りかご３ｃ内にも貼付される。具体的には乗りかご３ｂ内に貼付されたＲＦＩＤタグ３３に内蔵されたメモリには乗りかご３ｂが属するエレベータの設置箇所に対応する建物の住所、エレベータ号機名、お客さま番号および設置建物名の情報が記憶される。また、乗りかご３ｃ内に貼付されたＲＦＩＤタグ３３に内蔵されたメモリには乗りかご３ｃが属するエレベータの設置箇所に対応する建物の住所、エレベータ号機名、お客さま番号および設置建物名の情報が示される。
【００１８】
ＲＦＩＤタグ３３の貼付箇所は、このＲＦＩＤタグ３３に記憶される情報で示されるエレベータ号機と対応し、携帯電話４を近接できる箇所であれば乗りかご内に限らず例えば玄関階の乗り場や機械室内の機器であってもよい。
【００１９】
エレベータの点検作業員は携帯電話４を所持する。携帯電話４は、点検作業員が保守点検作業時に携行する携帯通信端末装置であり、ＲＦＩＤタグ３３に記憶された情報を読み取るする機能を有する。また、エレベータ監視センタには昇降機監視装置であるエレベータ監視装置５が設けられる。
【００２０】
携帯電話４はＲＦＩＤタグ３３に記憶された情報を読み取り、この読み取った情報を無線によりエレベータ監視装置５に送信する。  
エレベータ監視装置５は携帯電話４から前述のように送信された情報を例えば文字情報の形で地図上にモニタ表示する。
【００２１】
図４は、本発明の実施形態におけるエレベータ監視システムにおける携帯電話４の内部回路の構成例を示すブロック図である。  
図４に示すように、点検作業員が携行する携帯電話４は制御部４１、記憶装置４２、送信手段である通信インタフェース４３、アンテナ４４、入力装置４５、表示装置４６および読み取り手段である読取装置４７を備える。制御部４１は記憶装置４２、入力装置４５、表示装置４６および読取装置４７と接続される。また、制御部４１は通信インタフェース４３を介してアンテナ４４と接続される。
【００２２】
制御部４１は携帯電話４の全体の制御を司る。記憶装置４２は制御部４１による処理動作のための制御用プログラムを記憶する。また、記憶装置４２は携帯電話４に固有に対応付けられる識別番号、例えば製造番号などからなる端末ナンバを記憶する。通信インタフェース４３はエレベータ監視装置５との無線通信を行なう。
【００２３】
読取装置４７はＲＦＩＤタグ３３に近接した状態で、かつ入力装置４５に対する予め定められた操作がなされることでＲＦＩＤタグ３３に記憶された情報を無線通信により読み取り、この読み取って得た情報を制御部４１に出力する。  
制御部４１は、この出力された情報を通信インタフェース４３を介してエレベータ監視装置５に送信する。
【００２４】
図５は、本発明の実施形態におけるエレベータ監視システムにおけるエレベータ監視装置５の内部回路の構成例を示すブロック図である。  
図５に示すように、保守点検対象のエレベータのエレベータ監視装置５は制御部５１、記憶装置５２、受信手段である通信インタフェース５３、アンテナ５４、入力装置５５、表示装置５６、検索手段である検索部５７、判別手段である判別部５８、書換え手段である書換部５９および表示制御手段である表示制御部６０を備える。制御部５１は記憶装置５２、入力装置５５、表示装置５６、検索部５７、判別部５８、書換部５９および表示制御部６０と接続される。また、制御部５１は通信インタフェース５３を介してアンテナ５４と接続される。
【００２５】
制御部５１はエレベータ監視装置５の全体の制御を司る。記憶装置５２は制御部５１、検索部５７、判別部５８、書換部５９および表示制御部６０による処理動作のための制御用プログラムを記憶する。通信インタフェース５３は携帯電話４との無線通信を行なう。
【００２６】
図６は、本発明の実施形態におけるエレベータ監視システムにおけるエレベータ監視装置５の記憶装置５２に記憶される作業情報テーブルの一例を表形式で示す図である。  
エレベータ監視装置５の記憶装置５２は前述した制御プログラムとは別に図６に示したような作業情報テーブルを記憶する。この作業情報テーブルでは保守管理対象の各エレベータの設置建物の住所の情報と、この設置されるエレベータの号機名と作業ステータスの情報とが対応付けられる。作業ステータスとは作業情報テーブル上で対応付けられる号機名のエレベータが保守点検作業中であるか否かを示す情報である。
【００２７】
作業ステータスで示される保守点検作業の状況の種別は“作業中”および“作業外”の２種類である。“作業中”とは作業情報テーブル上で対応付けられる号機名のエレベータが保守点検作業中であることを示す。“作業外”とは作業情報テーブル上で対応付けられる号機名のエレベータが保守点検作業中でない、あるいは保守点検作業が終了したことを示す情報である。
【００２８】
図７は、本発明の実施形態におけるエレベータ監視システムにおけるエレベータ監視装置５の記憶装置５２に記憶される個人情報テーブルの一例を表形式で示す図である。  
エレベータ監視装置５の記憶装置５２は前述した作業情報テーブルとは別に図７に示したような個人情報テーブルを記憶する。この個人情報テーブルでは携帯電話４の端末ナンバの情報と当該端末ナンバに対応する携帯電話４の所持者である点検作業員の氏名の情報と所持者の所属の情報とが対応付けられる。所属とは所持者の所属部署（営業所）および役職名を含む。
【００２９】
次に、本発明の実施形態におけるエレベータ監視システムにおける携帯電話４による処理動作について説明する。図８は、本発明の実施形態におけるエレベータ監視システムにおける携帯電話４による処理動作の一例を示すフローチャートである。  
まず、点検作業員は自身が所持する携帯電話４を携行した上で、保守点検対象のエレベータが設置される建物に向かう。ここでは保守点検対象のエレベータの乗りかごは建物１の１号機エレベータ昇降路２ａを昇降する１号機エレベータ乗りかご３ａ（図１参照）であるとする。
【００３０】
点検作業員がエレベータの保守点検作業を行なう前に携帯電話４の入力装置４５に対する予め定めた手順の操作を行なうことで携帯電話４の動作モードをＲＦＩＤ読み取りモードに切り換える。
【００３１】
携帯電話４の動作モードがＲＦＩＤ読み取りモードである場合に点検作業員が携帯電話４の読取装置４７を乗りかご３ａ内のＲＦＩＤタグ３３に近づけ、入力装置４５に対する予め定められた操作を行なうと、読取装置４７はＲＦＩＤタグ３３に内蔵されたメモリに記憶された情報を無線通信により読み取る（ステップＳ１）。
【００３２】
携帯電話４の制御部４１は読取装置４７が読み取った情報を認識し、この情報にかかる復号処理を行なう。制御部４１は、この復号処理を行なうことで、ＲＦＩＤタグ３３に記憶される情報、つまり乗りかご３ａが属するエレベータの設置建物の住所、エレベータ号機名、お客さま番号および設置建物名の情報を取得する（ステップＳ２）。
【００３３】
制御部４１は、これらの取得した情報を記憶装置４２に記憶される携帯電話４の端末ナンバの情報とともに通信インタフェース４３を介してエレベータ監視装置５（図２参照）に送信する（ステップＳ３）。
【００３４】
次に、本発明の実施形態におけるエレベータ監視システムにおけるエレベータ監視装置５による処理動作について説明する。図９は、本発明の実施形態におけるエレベータ監視システムにおけるエレベータ監視装置５による処理動作の一例を示すフローチャートである。
【００３５】
エレベータ監視装置５では携帯電話４から送信された情報、つまりＲＦＩＤタグ３３の貼付箇所と対応するエレベータに関する各種情報および当該送信元の携帯電話４の端末ナンバの情報を通信インタフェース５３により受信する（ステップＡ１）。
【００３６】
エレベータ監視装置５の検索部５７は通信インタフェース５３が受信した情報を取得し、この取得した情報のうちエレベータ設置建物住所の情報およびエレベータ号機名と記憶装置５２に記憶される作業情報テーブル（図６参照）とを照合する。
【００３７】
そして、検索部５７は、作業情報テーブルにおけるエレベータ設置建物住所およびエレベータ号機の組み合わせの情報のうち前述のように取得した情報で示されるエレベータ設置建物住所およびエレベータ号機の組み合わせと同じ組み合わせの情報を検索する。
【００３８】
そして、検索部５７は、このようにして検索したエレベータ設置建物住所およびエレベータ号機の組み合わせの情報と作業情報テーブル上で対応付けられる作業ステータスの情報を検索する。
【００３９】
これら検索した情報は前述のように受信された情報の送信元の携帯電話４により読み取った情報が記憶されるＲＦＩＤタグ３３の貼付箇所と対応するエレベータの設置建物の住所、エレベータ号機および作業ステータスの情報に該当する。
【００４０】
また、検索部５７は、前述のように取得した情報のうち携帯電話４の端末ナンバの情報と記憶装置５２に記憶される個人情報テーブル（図７参照）とを照合して、個人情報テーブルにおける端末ナンバの情報のうち携帯電話４からの端末ナンバの情報と同じ情報を検索する。
【００４１】
そして、検索部５７は、このように検索した端末ナンバに個人情報テーブル上で対応付けられる端末所持者（点検作業員）氏名および端末所持者の所属の情報を検索する（ステップＡ２，Ａ３）。これら検索した情報は前述のように受信した情報の送信元の携帯電話４の所持者氏名および当該端末所持者の所属の情報に該当する。
【００４２】
判別部５８は前述のように検索した作業ステータスが“作業中”であるか“作業外”であるかを判別する（ステップＡ４）。  
判別部５８が、この判別の結果、前述のように検索した情報で示される作業ステータスが“作業中”でない、つまり現在はＲＦＩＤタグ３３の貼付箇所と対応するエレベータの保守点検作業がなされていないと判別した場合（ステップＡ４のＮＯ）には、書換部５９は、保守点検作業員が該当のエレベータの保守点検作業を開始するとみなし、作業情報テーブルにおける前述のように検索した作業ステータスを“作業中”に書き換える（ステップＡ５）。
【００４３】
そして、表示制御部６０は点検作業が開始されたことを示すメッセージ（例：点検作業が開始されました。）、前述のように作業情報テーブルを用いて検索部５７が検索したエレベータの設置建物の住所、エレベータ号機名、携帯電話４から取得したお客さま番号や設置建物名および報告者氏名をエレベータ監視装置５の表示装置５６に表示させる（ステップＡ６）。この報告者氏名は、前述のように検索部５７が個人情報テーブルを用いて検索した点検作業員の氏名および当該点検作業員の所属でなる。  
図１０は、本発明の実施形態におけるエレベータ監視システムにおけるエレベータ監視装置５の表示装置５６に表示される作業開始の通知画面の一例を示す図である。
【００４４】
この後、点検作業員はエレベータの保守点検作業を開始し、この作業が終了した後に前述したＲＦＩＤタグ３３に内蔵されたメモリに記憶される情報を携帯電話４で再び読み取り、この読み取った情報および端末ナンバの情報をエレベータ監視装置５に送信する。
【００４５】
エレベータ監視装置５は、前述したように携帯電話４からの情報で示されるエレベータ設置建物住所およびエレベータ号機名およびこのエレベータの作業ステータスを作業情報テーブルを用いて検索し、携帯電話４からの端末ナンバと対応付けられる点検作業員の氏名および点検作業員の所属の情報を個人情報テーブルを用いて検索する。
【００４６】
そして、判別部５８は前述のように検索した情報で示される作業ステータスが“作業中”であるか否かを判別する。この場合、判別部５８は前述のように検索した情報で示される作業ステータスが“作業中”である、つまり現在はＲＦＩＤタグ３３の貼付箇所に対応するエレベータの保守点検作業中であると判別する（ステップＡ４のＹＥＳ）。
【００４７】
よって、書換部５９は点検作業員が該当のエレベータの保守点検作業を終了するとみなし、作業情報テーブルにおける前述のように検索した作業ステータスを“作業外”に書き換える（ステップＡ７）。
【００４８】
そして、表示制御部６０は点検作業が終了したことを示すメッセージ（例：点検作業が終了しました。）に加え、前述のように作業情報テーブルを用いて検索部５７が検索したエレベータの設置建物の住所、エレベータ号機名、携帯電話４から取得したお客さま番号や設置建物名および前述した報告者氏名をエレベータ監視装置５の表示装置５６に表示させる（ステップＡ８）。  
図１１は、本発明の実施形態におけるエレベータ監視システムにおけるエレベータ監視装置５の表示装置５６に表示される作業終了の通知画面の一例を示す図である。
【００４９】
以上説明したように、本発明の実施形態における保守点検対象のエレベータの作業員が携行する携帯電話４は保守点検対象のエレベータの保守点検作業を開始する前に当該エレベータの乗りかご内に貼付されるＲＦＩＤタグ３３に記憶される情報を読み取って、この読み取った情報から得たエレベータ設置建物住所の情報およびエレベータ号機名をエレベータ監視装置５へ送信する。
【００５０】
エレベータ監視装置５は携帯電話４からのエレベータ設置建物住所の情報およびエレベータ号機名と作業情報テーブルとを照合して、エレベータの保守点検作業に関わっているか否かを示す作業パラメータの情報を検索する。
【００５１】
そして、エレベータ監視装置５は、この検索した作業パラメータの情報をもとに作業員による保守点検作業の開始または終了を示すメッセージを、送信元の携帯電話４が読み取ったＲＦＩＤタグ３３の貼付箇所に対応するエレベータの設置建物の住所およびエレベータ号機の各種情報とともにモニタ表示する。
【００５２】
そのため、保守点検作業員がこの作業箇所に貼付されるＲＦＩＤタグ３３に記憶される情報を携帯電話４により読み取るだけで、エレベータ監視装置５のオペレータはそれぞれのエレベータの保守点検作業の開始または終了のタイミングおよび当該エレベータの設置建物を特定する情報を把握することができる。
【００５３】
また、点検作業員は電話連絡を行なう必要無しに作業開始時および作業終了時の報告を監視センタに行なうことができるので、エレベータの保守点検作業の効率を向上させることができる。
【００５４】
以上説明した実施形態では、ＲＦＩＤタグ３３に記憶された情報を読み取るために携帯電話４を用いる構成としたが、これに限らずＲＦＩＤタグ３３に記憶された情報の読み取り機能及びこの読み取った情報をエレベータ監視装置５に送信する機能を有する携帯通信端末装置であれば通話機能は必ずしも要求されない。
【００５５】
また、以上説明した実施形態では、ＲＦＩＤタグ３３に記憶された情報のデコード処理を携帯電話４で行なう構成としたが、これに限らず携帯電話４は読み取った情報をそのまま送信し、エレベータ監視装置５は、この送信された情報を受信したら、この情報のデコード処理を行なう構成であってもよい。
【００５６】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００５７】
【図１】本発明の実施形態における保守点検対象のエレベータの一例を示す図。
【図２】本発明の実施形態におけるエレベータ監視システムの構成例を示す図。
【図３】本発明の実施形態における保守点検対象のエレベータの乗りかごに貼付されるＲＦＩＤタグに記憶される情報の概略を示す図。
【図４】本発明の実施形態におけるエレベータ監視システムにおける携帯電話の内部回路の構成例を示すブロック図。
【図５】本発明の実施形態におけるエレベータ監視システムにおけるエレベータ監視装置の内部回路の構成例を示すブロック図。
【図６】本発明の実施形態におけるエレベータ監視システムにおけるエレベータ監視装置の記憶装置に記憶される作業状況テーブルの一例を表形式で示す図。
【図７】本発明の実施形態におけるエレベータ監視システムにおけるエレベータ監視装置の記憶装置に記憶される個人情報テーブルの一例を表形式で示す図。
【図８】本発明の実施形態におけるエレベータ監視システムにおける携帯電話による処理動作の一例を示すフローチャート。
【図９】本発明の実施形態におけるエレベータ監視システムにおけるエレベータ監視装置による処理動作の一例を示すフローチャート。
【図１０】本発明の実施形態におけるエレベータ監視システムにおけるエレベータ監視装置の表示装置に表示される作業開始の通知画面の一例を示す図。
【図１１】本発明の実施形態におけるエレベータ監視システムにおけるエレベータ監視装置の表示装置に表示される作業終了の通知画面の一例を示す図。
【符号の説明】
【００５８】
１…エレベータ設置ビル、２ａ…１号機エレベータ昇降路、２ｂ…２号機エレベータ昇降路、２ｃ…３号機エレベータ昇降路、３ａ…１号機エレベータ乗りかご、３ｂ…２号機エレベータ乗りかご、３ｃ…３号機エレベータ乗りかご、３１…かごドア、３２…かご内操作盤、３３…ＲＦＩＤタグ、４…携帯電話、５…エレベータ監視装置、４１，５１…制御部、４２，５２…記憶装置、４３，５３…通信インタフェース、４４，５４…アンテナ、４５，５５…入力装置、４６，５６…表示装置、４７…読取装置、５７…検索部、５８…判別部、５９…書換部、６０…表示制御部。
【図１】
2009155100.tif 000003
【図２】
2009155100.tif 000004
【図３】
2009155100.tif 000005
【図４】
2009155100.tif 000006
【図５】
2009155100.tif 000007
【図６】
2009155100.tif 000008
【図７】
2009155100.tif 000009
【図８】
2009155100.tif 000010
【図９】
2009155100.tif 000011
【図１０】
2009155100.tif 000012
【図１１】
2009155100.tif 000013